(57)【要約】【課題】防雨防水の機能が発揮し得ない場合等に、コンセントに対して使用できるプラグ数が少なくなってしまうことを防止したり、或いは、本来無用な手間を省いて迅速な接続を行うことができる防雨防水用の差込みプラグ・ソケットの提供を図る。【解決手段】防雨防水用の差込みプラグ・ソケットにおいて、電気接続部２１を備えた差込みプラグ１又はソケットの本体２と、この本体２より大きな外周を有する防水用嵌合部３とを別体に形成する。この本体２と防水用嵌合部３とは、ねじ等によって、着脱可能とする。防水用嵌合部３とプラグ本体２との少なくとも何れか一方には、プラグ本体２の先端面よりも基端側に凹んだ溝部３３を環状に形成する。この溝部３３の中に、防水用嵌合部３とプラグ本体２との間の隙間を位置させることにより、隙間から流入した水が電気接続部２１に直接流れてしまうことを防止する。【選択図】          図１
2004319194.tif 000002
【特許請求の範囲】
【請求項１】
雨水や所定水圧下での水が電気接続部に侵入することを防止するために、互いに嵌合することによって水を遮断する防水用嵌合部が設けられた差込みプラグ・ソケットとして使用され、電気接続部である刃受け穴を備えたソケット本体と、そのソケット本体より大きな外周を有する弾性を有するカバーが防水用嵌合部として設けられているソケットに対して使用される差込みプラグであって、
ソケットのカバー内に嵌入する膨出部が、防水用嵌合部として、プラグ本体より一回り大きく設けられ、プラグをソケットに差し込む際に、弾性を有するカバー内に膨出部を嵌入することにより、防水性を向上させるようにした防雨防水用の差込みプラグにおいて、
先端面に電気接続部（２１）を備えた差込みプラグ（１）の本体（２）と、この本体（２）と別体に形成された防水用嵌合部（３）とを有し、
電気接続部（２１）は、コンセント（ｃ）の刃受け穴（ｃ１、ｃ２、ｃ３）に、栓刃（２１）を差し込むことによって電気的に接続できるものであり、
プラグ本体（２）は、プラグの抜き差しを行う際に人が摘むための握り部（２３）を基端側に備え、その先端側に防水用嵌合部（３）に対する着脱部（２４）が設けられ、
防水用嵌合部（３）は、プラグ本体（２）の外径より大きな外径を備え、内側にプラグ本体（２）を受容する貫通空間を備えたもので、ソケットの防水用嵌合部内に嵌入する膨出部となるリング体により構成され、
この防水用嵌合部（３）には、プラグ本体（２）の着脱部（２４）と互いに着脱可能な着脱部（３２）が形成され、
防水用嵌合部（３）とプラグ本体（２）とは、両者の着脱部（３２、２４）を一致させることによって一体となり、防雨防水用の差込みプラグとなるものであり、防水用嵌合部（３）とプラグ本体（２）との少なくとも何れか一方には、プラグ本体（２）の先端面よりも基端側に凹んだ溝部（１１）が環状に形成され、
この溝部（１１）の中に、防水用嵌合部（３）とプラグ本体（２）との間の隙間が位置しており、この溝部（１１）と栓刃（２１）との間には、溝部の底部よりも先端方向に突出した部分が位置することを特徴とする防雨防水用の差込みプラグ。
【請求項２】
両者の着脱部（３２、２４）は、プラグ本体（２）を先端側から防水用嵌合部（３）の貫通空間に通すと共に、防水用嵌合部（３）とプラグ本体（２）とを相対的に回転させることにより、防水用嵌合部（３）とプラグ本体（２）とを少なくとも前後方向に固定するものであることを特徴とする請求項１記載の防雨防水用の差込みプラグ。
【請求項３】
雨水や所定水圧下での水が電気接続部に侵入することを防止するために、互いに嵌合することによって水を遮断する防水用嵌合部が設けられた差込みプラグ・ソケットとして使用され、電気接続部である刃受け穴を備えたソケット本体と、そのソケット本体より大きな外周を有する弾性を有する筒状のカバーが防水用嵌合部として設けられている防雨防水用のソケットにおいて、
先端面に電気接続部を備えたソケット（５）の本体（６）と、この本体（６）と別体に形成された防水用嵌合部（７）とを有し、
電気接続部は、差込みプラグ（１）の栓刃（２１）を受容する刃受け穴を有することにより、差込みプラグ（１）の栓刃（２１）と電気的に接続できるものであり、
ソケット本体（６）は、ソケットの抜き差しを行う際に人が摘むための握り部（６２）を基端側に備え、その先端側に防水用嵌合部（７）に対する着脱部（６３）が設けられ、
防水用嵌合部（７）は、ソケット本体（６）の外径より大きな外径を備え、内側にソケット本体（６）を受容する貫通空間を備えたもので、差込みプラグ（１）の防水用嵌合部（３）を受容する弾性を有する筒状のカバーにより構成されたものであり、
この防水用嵌合部（７）には、ソケット本体（６）の着脱部（６３）と互いに着脱可能な着脱部（７１）が形成され、
防水用嵌合部（７）とソケット本体（６）とは、両者の着脱部（７１、６３）を一致させることによって一体となり、防雨防水用のソケットとなるものであり、防水用嵌合部（７）とソケット本体（６）との少なくとも何れか一方には、ソケット本体（６）の先端面よりも基端側に凹んだ溝部（５１）が環状に形成されており、
この溝部（５１）の中に、防水用嵌合部（７）とソケット本体（６）との間の隙間が位置しており、この溝部（５１）と刃受け穴との間には、溝部の底部よりも先端方向に突出した部分が位置することを特徴とする防雨防水用のソケット。
【発明の詳細な説明】
【０００１】
【発明の属する技術分野】
本願発明は、防雨防水用の差込みプラグ・ソケットに関するものである。
【０００２】
【従来の技術】
従来より、電気配線を野外で行う場合に、雨水や所定水圧下での水が電気接続部に侵入することを防止するために、防雨防水用の差込みプラグ・ソケットが使用されている。
この種の差込みプラグ・ソケットは、互いに嵌合することによって水を遮断する防水用嵌合部が設けられたもので、一般的には、電気接続部である刃受け穴を備えたソケットに、そのソケット本体より大きな外周を有する軟質合成樹脂やゴム製等の弾性を有するカバーが防水用嵌合部として設けられる。他方、プラグには、このカバー内に嵌入する膨出部が、防水用嵌合部として、プラグ本体より一回り大きく設けられている。そして、プラグをソケットに差し込む際に、弾性を有するカバー内に膨出部を嵌入することにより、防水性を向上させている。
【０００３】
ところが、上記のカバーや膨出部は、本体より大きく形成されているため、標準のコンセントｃにプラグｐを差し込む場合、図６に示すように、２つ分の刃受け穴ｃ１、ｃ２を占有してしまう。その結果、１つの屋内用のコンセントに対して使用できるプラグ数が通常のプラグより少なくなってしまう。
また、家屋やベランダの外壁には、雨覆いを有する屋外用コンセントが設けられているため、通常のプラグを接続した場合にも防雨性を得るようにしている。この屋外用コンセントには、前述の膨出部を嵌入させるための弾性を有するカバーは不要なものとして設けられていない。そのため、前述の防雨防水用の差込みプラグを、この屋外用コンセントに接続する場合、同差込みプラグに設けられた膨出部は防雨防水用として何ら機能しない。その結果、防雨防水用として何ら機能しない膨出部のために、屋外用コンセントに対しても、使用できるプラグ数が少なくなってしまうという不合理な結果を招いている。
【０００４】
しかも、防水用嵌合部としての膨出部とカバーを夫々備えたプラグとソケットとを接続する場合には、前述のように、カバーの口を拡径して、膨出部を嵌入させなければならいなため、通常のプラグとソケットとの接続の場合に比して困難であり手間がかる。ところが、防雨防水用のプラグ・ソケットは、必ずしも野外で使用されるとは限らず、屋内等の全く水に関して配慮しなくてもよい場所で使用されることも多い。このように、防水性が求められない環境下にて防雨防水用の差込みプラグ・ソケットを使用した場合には、接続のために無用な手間を掛けてしまう結果となる。
【０００５】
このように、屋外で使用される電源ケーブルにあっては、防水用嵌合部を有する防雨防水用のプラグ・ソケットと、屋外用コンセントに対して無駄なく接続できるように防水用嵌合部を設けていない防雨防水用のプラグ・ソケットとの２種類が市販されているのが現状であり、需要者にあっは、用途や屋外用コンセントのタイプに応じて、使い分ける必要があり、また、間違って購入してしまった場合には返品交換が必要となっていた。
【０００６】
他方、従来のトラッキング防止や防水対策にあっては、特許文献１〜５に示されるように、通常の差込みプラグ（汎用性のある各種プラグ）について、別体、別売りのフード等を装着して、トラッキング防止や防水効果を得るようにすることが、一般的であった。例えば、特許文献５にあっては、可撓性材料で環状に形成され、その先端側が先端方向に広がる円錐状になっているスリーブを、プラグコネクタに装着するものである。そして、このプラグコネクタをコネクタ受け部のジャックに接続すると、スリーブの可撓性のある先端がケースの外面に密着することにより、プラグとジャックとの接続部分が外部から密閉されるものである。このように、従来のトラッキング防止や防水対策にあっては、スリーブが単独でケースの外面に密着して、防水性を図るものであった。これに対して、本願発明の対象とする、互いに嵌合する防水用嵌合部が設けられた差込みプラグ・ソケットとして使用され、高度な防水防雨効果を要求されるものについては、防水用嵌合部とプラグ本体やソケット本体を一体に形成することが常識となっており、防水性が求められる環境下と、求められない環境下との双方での使用を実現するという発想を持つことがなかった。
【０００７】
【特許文献１】
特開平８−１２４６２１号公報
【特許文献２】
特開平８−３３００２０号公報
【特許文献３】
特開平９−１６１８７６号公報
【特許文献４】
特開平１１−２３３２８７号公報
【特許文献５】
特開平８−３３９８６３号公報
【０００８】
【発明が解決しようとする課題】
しかして、本願発明の目的は、防雨防水の機能が発揮し得ない場合に、或いは、防水性や防雨性が求められない環境下にて防雨防水用の差込みプラグ・ソケットを使用する場合に、コンセントに対して使用できるプラグ数が少なくなってしまうことを防止したり、或いは、本来無用な手間を省いて迅速な接続を行うことができる防雨防水用の差込みプラグ・ソケットを提供することにある。
本願発明者は、上記の問題を解決するために、特願２００２−１９４０１号において、差込みプラグ・ソケットの本体と、防水用嵌合部とを分離別体として、両者を着脱可能する防雨防水用の差込みプラグ・ソケットを提案することにより、上記の課題の解決を図った。本願発明は、この特願２００２−１９４０１号に係る発明をさらに改良したものであり、本体と防水用嵌合部とを結合が不十分な状態で使用されてしまった場合にあっても、水が電気接続部に侵入して短絡や漏電等が発生してしまうことを、より確実に防止することができる防雨防水用のプラグ・ソケットを提供せんとするものである。
【０００９】
【課題を解決するための手段】
本願の請求項１に係る発明は、雨水や所定水圧下での水が電気接続部に侵入することを防止するために、互いに嵌合することによって水を遮断する防水用嵌合部が設けられた差込みプラグ・ソケットとして使用され、電気接続部である刃受け穴を備えたソケット本体と、そのソケット本体より大きな外周を有する弾性を有するカバーが防水用嵌合部として設けられているソケットに対して使用される差込みプラグであって、ソケットのカバー内に嵌入する膨出部が、防水用嵌合部として、プラグ本体より一回り大きく設けられ、プラグをソケットに差し込む際に、弾性を有するカバー内に膨出部を嵌入することにより、防水性を向上させるようにした防雨防水用の差込みプラグにおいて、先端面に電気接続部２１を備えた差込みプラグ１の本体２と、この本体２と別体に形成された防水用嵌合部３とを有し、電気接続部２１は、コンセントｃの刃受け穴ｃ１、ｃ２、ｃ３に、栓刃２１を差し込むことによって電気的に接続できるものであり、プラグ本体２は、プラグの抜き差しを行う際に人が摘むための握り部２３を基端側に備え、その先端側に防水用嵌合部３に対する着脱部２４が設けられ、防水用嵌合部３は、プラグ本体２の外径より大きな外径を備え、内側にプラグ本体２を受容する貫通空間を備えたもので、ソケットの防水用嵌合部内に嵌入する膨出部となるリング体により構成され、この防水用嵌合部３には、プラグ本体２の着脱部２４と互いに着脱可能な着脱部３２が形成され、防水用嵌合部３とプラグ本体２とは、両者の着脱部３２、２４を一致させることによって一体となり、防雨防水用の差込みプラグとなるものであり、防水用嵌合部３とプラグ本体２との少なくとも何れか一方には、プラグ本体２の先端面よりも基端側に凹んだ溝部１１が環状に形成され、この溝部１１の中に、防水用嵌合部３とプラグ本体２との間の隙間が位置しており、この溝部１１と栓刃２１との間には、溝部の底部よりも先端方向に突出した部分が位置することを特徴とする防雨防水用の差込みプラグを提供する。
本願の請求項２に係る発明は、両者の着脱部３２、２４は、プラグ本体２を先端側から防水用嵌合部３の貫通空間に通すと共に、防水用嵌合部３とプラグ本体２とを相対的に回転させることにより、防水用嵌合部３とプラグ本体２とを少なくとも前後方向に固定するものであることを特徴とする請求項１記載の防雨防水用の差込みプラグを提供するものである。
本願の請求項３に係る発明は、雨水や所定水圧下での水が電気接続部に侵入することを防止するために、互いに嵌合することによって水を遮断する防水用嵌合部が設けられた差込みプラグ・ソケットとして使用され、電気接続部である刃受け穴を備えたソケット本体と、そのソケット本体より大きな外周を有する弾性を有する筒状のカバーが防水用嵌合部として設けられている防雨防水用のソケットにおいて、先端面に電気接続部を備えたソケット５の本体６と、この本体６と別体に形成された防水用嵌合部７とを有し、電気接続部は、差込みプラグ１の栓刃２１を受容する刃受け穴を有することにより、差込みプラグ１の栓刃２１と電気的に接続できるものであり、ソケット本体６は、ソケットの抜き差しを行う際に人が摘むための握り部６２を基端側に備え、その先端側に防水用嵌合部７に対する着脱部６３が設けられ、防水用嵌合部７は、ソケット本体６の外径より大きな外径を備え、内側にソケット本体６を受容する貫通空間を備えたもので、差込みプラグ１の防水用嵌合部３を受容する弾性を有する筒状のカバーにより構成されたものであり、この防水用嵌合部７には、ソケット本体６の着脱部６３と互いに着脱可能な着脱部７１が形成され、防水用嵌合部７とソケット本体６とは、両者の着脱部７１、６３を一致させることによって一体となり、防雨防水用のソケットとなるものであり、防水用嵌合部７とソケット本体６との少なくとも何れか一方には、ソケット本体６の先端面よりも基端側に凹んだ溝部５１が環状に形成されており、この溝部５１の中に、防水用嵌合部７とソケット本体６との間の隙間が位置しており、この溝部５１と刃受け穴との間には、溝部の底部よりも先端方向に突出した部分が位置することを特徴とする防雨防水用のソケットを提供する。
ここで、防雨と防水とは、プラグ・ソケットに求められる防水性能の差にあり、防水の方が防雨に比して、高い水圧下における水密性が求められるものであるが、本願発明では、防雨と防水との何れか一方を満足するものであればよく、原則として本願の説明では、両者を区別しないものとする。また、差込みプラグ・ソケットとは、差込みプラグと差込みプラグ用のソケットとの少なくとも何れか一方を意味するものである。
【００１０】
【発明の実施の形態】
以下、図面に基づき本願発明の実施の形態を説明する。
図１（Ａ）は本願発明の実施の形態に係る差込みプラグの側面図であり、防水用嵌合部を取り外した状態を示すものである。図１（Ｂ）は防水用嵌合部の正面図である。図２は本願発明の実施の形態に係る差込みプラグの側面図であり、防水用嵌合部を取り付けた状態を示すものである。
【００１１】
この差込みプラグ１は、ソケットとの電気接続部に水が侵入するための防水用嵌合部３を備えた防水又は防雨用の差込みプラグであり、プラグ本体２と、防水用嵌合部３とが別体に形成されている。
プラグ本体２は、電気接続部である栓刃２１を先端面に一対備え、基端には上記の栓刃２１に接続された電源コード２２が延出している。
【００１２】
このプラグ本体２は、図６に示す標準にコンセントｃの刃受け穴ｃ１、ｃ２、ｃ３に、栓刃２１を差し込むことによって電気的に接続できるもので、その外周の大きさは、１つの刃受け穴に接続した場合に、他の刃受け穴を隠蔽しない大きさとしている。より具体的には、栓刃２１の幅方向（図２（Ａ）の上下方向）に沿う長さにおいて、プラグ本体２は栓刃２１の６倍以内とすることが望ましく、より望ましくは５倍以内とする。栓刃２１の厚み方向（図１（Ａ）の上下方向）に沿う長さにおいては、プラグ本体２は一対の栓刃２１、２１間の間隔（栓刃の厚みを含まず）の２．５倍以内とすることが望ましく、より望ましくは２倍以内とする。
【００１３】
このプラグ本体２は、プラグの抜き差しを行う際に人が摘むための握り部２３を基端側に備え、その先端側に防水用嵌合部３に対する着脱部２４が設けられている。この着脱部２４は、外周に雄ねじ２５が形成されたもので、握り部２３より外径が小さく、両者間には段差が形成される。この段差、言い換えれば、着脱部２４の基端には、Ｏリング又はパッキン等の防水用シール部２６が装着されている。この防水用シール部２６によって、防水用嵌合部３とプラグ本体２との間の水密性は確保されるが、高い水密性が要求されない場合には、防水用シール部２６を設けずに実施できる。また、防水用嵌合部３側に防水用シール部を設けても良く、両者に設けても良い。
この例では、着脱部２４は硬質の合成樹脂によって形成され、これを貫くようにして、栓刃２１が装着されている。そして、栓刃２１を装着した着脱部２４が、プラグ本体２の他の部分内にインサート成形されている。このプラグ本体２の他の部分は着脱部２４より軟質の合成樹脂によって形成されている。図１（Ａ）中の点線は、握り部２３内に固定された着脱部２４の基端２５ａを示す。勿論、プラグ本体２を単一の合成樹脂によって成形してもよい。
【００１４】
防水用嵌合部３は、プラグ本体２の外径より大きな外径を備えたもので、ソケットの防水用嵌合部内に嵌入する膨出部となるリング体であり、人の指の力では変形させることができない合成樹脂等の硬質素材によって構成されている。このリング体の貫通空間の内面には、プラグ本体２の着脱部２４と取り外し可能に設けられた着脱部３１が形成されている。即ち、プラグ本体２の着脱部２４の雄ねじ２５と螺合する雌ねじ３２が、当該着脱部３１に形成されている。この例でも、雌ねじ３２を有する着脱部３１と、他の部分とを別々の合成樹脂にて形成し、インサート成形等で一体化してもよいが、全体を単一の合成樹脂によって成形してもよい。
【００１５】
この防水用嵌合部３とプラグ本体２とは、プラグ本体２を先端側から防水用嵌合部３の貫通空間に通し、両者の着脱部３１、２４（ねじ３２、２５）を螺合することによって一体となり、図２に示す防雨防水用の差込みプラグとなる。その際、図３に示すように、プラグ本体２の前記の段差の端面（言い換えれば握り部２３の先端面２３ａと防水用嵌合部３の基端面３ｂとが当接するまでしっかり螺合することによって当該当接部分での水密性が得られることは勿論、プラグ本体２の先端面２ａと防水用嵌合部３ａの先端面３ａとが面一となり、ソケットに嵌合した際にも、ソケットとの密着性が向上する。
【００１６】
防水用嵌合部３とプラグ本体２とを一体にして用いる場合は、屋外等の高い水密性が要求されるものであるが、使用者の不注意によって、充分に上記の螺合を行わずに使用される場合もあり得る。その場合には、防水用シール部２６の防水性が充分に発揮されず、握り部２３の先端面２３ａと防水用嵌合部３の基端面３ｂとの間から雨水等が侵入し、先端方向に進んで、プラグ本体２の先端面２ａから電気接続部である栓刃２１に達するおそれがある。
そこで、プラグ１の先端面に環状の溝部１１を設ける。この例では、防水用嵌合部３とプラグ本体２との双方に、溝部形成用の凹部２７、３３が設けられているが、何れか一方にのみ設けるものであってもよい。この溝部１１は、その底部に、防水用嵌合部３とプラグ本体２との間の隙間が位置している。そして、この溝部１１と栓刃２１との間には、プラグ本体２の先端面２ａが位置することになる。このプラグ本体２の先端面２ａは、溝部の底部（より詳しくは上記隙間の位置する箇所）よりも先端方向に突出した凸部となっているため、溝部１１内に侵入した水は、せき止められて栓刃２１に直接流れこまない。特に、この溝部１１は、栓刃２１を中央にして、その周囲に環状に形成されているため、溝部１１内を回って溝部１１の下部に流れて溜まるか、ソケットとの間の隙間から下方に流出することとなるため、大量の水が流れ込まない限り、栓刃２１に水が達することはない。
【００１７】
他方、図２に示す防雨防水用の差込みプラグの状態で、標準のコンセントに使用すると、２つ分の刃受け穴を占有することになるが、防水用嵌合部３をプラグ本体２から取り外してしまうことによって、１つ分の刃受け穴のみを占有することになり、不要な刃受け穴の占有を防止できる。
【００１８】
取り外した防水用嵌合部３の紛失を防止するために、防水用嵌合部３とプラグ本体２とを紐等の紛失防止用の接続具４で接続しておくことが望ましい。この例では、接続具４の先端には防水用嵌合部３を接続する一方、接続具４の基端には円形リング部４１を備えたものとして実施しており、この円形リング部４１をプラグ本体２に装着している。このように、接続具４とプラグ本体２とを回動可能に接続しておくことによって、螺合に際して無理なく防水用嵌合部３を回動させることができる。
【００１９】
尚、防水用嵌合部３とプラグ本体２との着脱構造は、ねじによる螺合の他、強制嵌合、突起と受容穴の嵌合等、種々の着脱構造に変更できる。図４は、その一例を示すもので、プラグ本体２の着脱部２４としては、径外方向に突出した突起が設けられ、防水用嵌合部３の着脱部３２としては、上記の突起（着脱部２４）が嵌入する開口３２ａと、この開口３２ａから円周方向に伸びる受容穴３２ｂとが設けられる。そして、プラグ本体２の着脱部２４を、開口３２ａ内に嵌入させ、防水用嵌合部３とプラグ本体２とを相対的に回転させることにより、着脱部２４が受容穴３２ｂ内に収まり、両者２、３が固定される。外す時は、その逆を行えばよい。
以上のように、このように、着脱構造としては、上記の２つの実施の形態に示したように、防水用嵌合部３とプラグ本体２を相対的に回転させることにより、両者２、３を少なくとも前後方向に固定するものとして実施することが現実的である。
【００２０】
次に、図５を参照して、ソケットについて説明する。図５（Ａ）は本願発明の実施の形態に係るソケットの側面図であり、防水用嵌合部を取り付けた状態を示すものである。図５（Ｂ）は防水用嵌合部の断面図であり、図５（Ｃ）はソケット本体の側面図である。
【００２１】
このソケット５は、差込みプラグとの電気接続部に水が侵入するための防水用嵌合部７を備えた防水又は防雨用のソケットであり、ソケット本体６と、防水用嵌合部７とが別体に形成されている。
ソケット本体６は、図示は省略するが電気接続部である刃受け穴を先端面に一対備え、基端からは電源コード６１が延出している。
【００２２】
このソケット本体６は、握り部６２を基端側に備え、その先端側に防水用嵌合部７に対する着脱部６３を有する。この着脱部６３は、外周に雄ねじ６４が形成されたもので、握り部６２より外径が小さく、着脱部６３の基端には防水用シール部６５が装着されている。ソケット本体６は、１又は２以上の合成樹脂部材によって形成できる。
【００２３】
防水用嵌合部７は、ソケット本体６の外径より大きな径を備えたもので、差込みプラグの防水用嵌合部３を受容する筒状のカバー体である。その内径は差込みプラグの防水用嵌合部３より小さくしておき、差込みプラグの防水用嵌合部３を嵌入させる際に、防水用嵌合部７が弾性変形するように、少なくとも嵌入部分７２を軟質の合成樹脂やゴム素材等の弾性を有する素材によって形成することが望ましい。このカバー体の基端側の内周には、ソケット本体６の着脱部６３に対して着脱可能な着脱部７１として、上記の雄ねじ６４と螺合する雌ねじ７１が形成されている。この例でも、雌ねじ７１を硬質の合成樹脂により形成し、軟質の合成樹脂で形成される嵌入部分７２等の他の部分と、別種類の合成樹脂にて形成し、インサート成形等で一体化してもよいが、全体を単一の合成樹脂によって成形してもよい。尚、防水用嵌合部７とソケット本体６との着脱構造は、ねじによる螺合の他、図４に示したものと同様な着脱構造とする等、強制嵌合、突起と受容穴の嵌合等、種々の着脱構造に変更できる。
【００２４】
この防水用嵌合部７とソケット本体６とは、螺合にて一体となり、防水用シール部６５によって、両者７、６間の水密性は確保されるが、防水用シール部の構成はソケットと同様に適宜変更できる。
また、ソケット５の先端面に環状の溝部５１を設けることも、先の差込みプラグと同様であり、防水用嵌合部７とソケット本体６との双方に、溝部形成用の凹部７３、６６が設けられているが、何れか一方にのみ設けるものであってもよい。この溝部５１は、その底部に、防水用嵌合部７とソケット本体６との間の隙間が位置している。そして、この溝部５１と刃受け穴（図示せず）との間には、ソケット本体６の先端面が位置することになる。この先端面は、溝部の底部（より詳しくは上記隙間の位置する箇所）よりも先端方向に突出した凸部となるため、溝部５１内に侵入した水は、せき止められて刃受け穴に直接流れこまない。特に、この溝部５１は、刃受け穴を中央にして、その周囲に環状に形成されているため、溝部５１内を回って溝部５１の下部に流れて溜まるか、差込みプラグとの間の隙間から下方に流出することとなるため、大量の水が流れ込まない限り、刃受け穴に水が達することはない。さらに、ソケット５に差込みプラグ１を接続した状態で、ソケット５の溝部５１の少なくとも一部と、前述した差込みプラグ１の溝部１１の少なくとも一部とが合致するように形成することにより、互いに溝部内に流入した水を溜めることができる空間が共用できることになり、より多くの水を、溜めることができる。
【００２５】
なお、防水用嵌合部７の紛失を防止するために、防水用嵌合部７とソケット本体６とを紐等の紛失防止用の接続具（図示せず）で接続しておくことが望ましいこともプラグの場合と同様である。
しかして、防水対策が不要な場所でこのソケットを使用する場合には、防水用嵌合部７を取り外しておくことによって、プラグとの接続を迅速なものとすることができる。
【００２６】
【発明の効果】
以上、本願発明は、防雨性能や防水性能が発揮され得ない場合に、或いは、防水性や防雨性が求められない環境下にて防雨防水用の差込みプラグ・ソケットを使用する場合に、コンセントに対して使用できるプラグ数が少なくなってしまうことを防止したり、或いは、無用な手間を省いて迅速な接続を行うことができる防雨防水用の差込みプラグ・ソケットを提供することができたものである。
しかも、本体と防水用嵌合部とを結合が不十分な状態で使用されてしまった場合にあっても、水が電気接続部に侵入して短絡や漏電等が発生してしまうおそれを、より確実に防止することができる防雨防水用のプラグ・ソケットを提供することができたものである。
【図面の簡単な説明】
【図１】（Ａ）は本願発明の実施の形態に係る差込みプラグの側面図であり、防水用嵌合部を取り外した状態を示す。（Ｂ）は防水用嵌合部の正面図である。
【図２】本願発明の実施の形態に係る差込みプラグの側面図であり、防水用嵌合部を取り付けた状態を示すものである。
【図３】本願発明の実施の形態に係る差込みプラグの要部断面図である。
【図４】（Ａ）は本願発明の他の実施の形態に係る差込みプラグ本体の正面図であり、（Ｂ）は本願発明の他の実施の形態に係る差込みプラグの正面図である。
【図５】（Ａ）は本願発明の実施の形態に係るソケットの側面図であり、防水用嵌合部を取り付けた状態を示すものである。（Ｂ）は防水用嵌合部の断面図であり、（Ｃ）はソケット本体の側面図である。
【図６】差込みプラグとコンセントとの関係を示す説明図である。
【符号の説明】
１    差込みプラグ
１１  溝部
２    差込みプラグの本体
２１  電気接続部（栓刃）
２３  握り部
２４  着脱部
３    防水用嵌合部
３２  着脱部
５    ソケット
５１  溝部
６    ソケットの本体
６２  握り部
６３  着脱部
７    防水用嵌合部
７１  着脱部
【図１】
2004319194.tif 000003
【図２】
2004319194.tif 000004
【図３】
2004319194.tif 000005
【図４】
2004319194.tif 000006
【図５】
2004319194.tif 000007
【図６】
2004319194.tif 000008